(57)【特許請求の範囲】
【請求項１】
容器本体（１）と平板状の蓋（２）とからなり、
容器本体（１）はこれの開口上縁（４）全周からフランジ（６）を外向きに張出し形成し、このフランジ（６）の上面にフランジ（６）内外方向に凹設した湯切り溝（９）がフランジ（６）周方向に所定間隔をおいて複数個並設されており、
これら隣り合う湯切り溝（９）（９）の間に、前記フランジ（６）の上面と同じ高さか若しくはそれよりも少し高い高さを有して蓋（２）と接着する山部（１０ｂ）と、この山部（１０ｂ） のフランジ（６）内外方向外方側端にフランジ（６）上面よりも低くて蓋（２）と接着しない非接着凹部（１０ａ）と 、この非接着凹部（１０ａ）よりフランジ（６）外方側にフランジ（６）上面と面一か若しくは略面一にされて蓋（２）と接着する外側山部 （１０ｃ）とがそれぞれ形成されており、
前記外側山部 （１０ｃ）の上面は前記フランジ（６）の上面（６ａ）に連続させているとともに、外側山部 （１０ｃ）の内面は前記湯切り溝（９）の溝底から外側山部 （１０ｃ）の上面わたって立上がり湯切り溝（９）を塞ぐ閉塞壁１１に形成され、
前記蓋（２）は前記フランジ（６）の全周にわたってかつ前記山部（１０ｂ）の上面および前記外側山部 （１０ｃ）の上面に前記湯切り溝（９）の上方を塞ぐように剥離可能に接着されていることを特徴とする即席食品等の容器。
【請求項２】
容器本体（１）と平板状の蓋（２）とからなり、
容器本体（１）はこれの開口上縁（４）全周からフランジ（６）を外向きに張出し形成し、このフランジ（６）の上面にフランジ（６）内外方向に湯切り溝（９）が凹設され、  この湯切り溝（９）の両側に、前記フランジ（６）の上面と同じ高さか若しくはそれよりも少し高い高さを有して蓋（２）と接着する山部（１０ｂ）と、この山部（１０ｂ） のフランジ（６）内外方向外方側端にフランジ（６）上面よりも低くて蓋（２）と接着しない非接着凹部（１０ａ）と 、この非接着凹部（１０ａ）よりフランジ（６）外方側にフランジ（６）上面と面一か若しくは略面一にされて蓋（２）と接着する外側山部 （１０ｃ）とがそれぞれ形成されており、
前記外側山部 （１０ｃ）の上面は前記フランジ（６）の上面（６ａ）に連続させているとともに、外側山部 （１０ｃ）の内面は前記湯切り溝（９）の溝底から外側山部 （１０ｃ）の上面わたって立上がり湯切り溝（９）を塞ぐ閉塞壁１１に形成され、
前記蓋（２）は前記フランジ（６）の全周にわたってかつ前記山部（１０ｂ）の上面および前記外側山部 （１０ｃ）の上面に前記湯切り溝（９）の上方を塞ぐように剥離可能に接着されていることを特徴とする即席食品等の容器。
【請求項３】
容器本体（１）と平板状の蓋（２）とからなり、
容器本体（１）はこれの開口上縁（４）全周からフランジ（６）を外向きに張出し形成し、このフランジ（６）の上面にフランジ（６）内外方向に凹設した湯切り溝（９）がフランジ（６）周方向に所定間隔をおいて複数個並設されており、
これら隣り合う湯切り溝（９）（９）の間に、前記フランジ（６）の上面と同じ高さか若しくはそれよりも少し高い高さを有して蓋（２）と接着する山部（１０ｂ）と、この山部（１０ｂ） のフランジ（６）内外方向外方側端にフランジ（６）上面よりも低くて蓋（２）と接着しない非接着凹部（１０ａ）と 、この非接着凹部（１０ａ）よりフランジ（６）外方側にフランジ（６）上面と面一か若しくは略面一にされて蓋（２）と接着する外側山部 （１０ｃ）とがそれぞれ形成されており、
前記フランジ（６）および外側山部 （１０ｃ）は外周縁（６１）が下向きに折れ曲がって連続に形成されており、
前記蓋（２）は前記フランジ（６）の全周にわたってかつ前記山部（１０ｂ）の上面および前記外側山部 （１０ｃ）の上面に前記湯切り溝（９）の上方を塞ぐように剥離可能に接着されていることを特徴とする即席食品等の容器。
【請求項４】
容器本体（１）と平板状の蓋（２）とからなり、
容器本体（１）はこれの開口上縁（４）全周からフランジ（６）を外向きに張出し形成し、このフランジ（６）の上面にフランジ（６）内外方向に湯切り溝（９）が凹設され、  この湯切り溝（９）の両側に、前記フランジ（６）の上面と同じ高さか若しくはそれよりも少し高い高さを有して蓋（２）と接着する山部（１０ｂ）と、この山部（１０ｂ） のフランジ（６）内外方向外方側端にフランジ（６）上面よりも低くて蓋（２）と接着しない非接着凹部（１０ａ）と 、この非接着凹部（１０ａ）よりフランジ（６）外方側にフランジ（６）上面と面一か若しくは略面一にされて蓋（２）と接着する外側山部 （１０ｃ）とがそれぞれ形成されており、
前記フランジ（６）および外側山部 （１０ｃ）は外周縁（６１）が下向きに折れ曲がって連続に形成されており、
前記蓋（２）は前記フランジ（６）の全周にわたってかつ前記山部（１０ｂ）の上面および前記外側山部 （１０ｃ）の上面に前記湯切り溝（９）の上方を塞ぐように剥離可能に接着されていることを特徴とする即席食品等の容器。
【発明の詳細な説明】
【０００１】
【発明の属する技術分野】
本発明は、湯切り機能を備えた即席食品等の容器に関する。
【０００２】
【従来の技術】
即席麺や即席焼きそば等の即席食品は熱湯を注入して復元させた後、湯を湯切り口から排出し、これを味付けして食用に供される。これら即席食品を収容する容器の蓋には、大きく分けて嵌合タイプのものと、接着タイプのものとがある。  嵌合タイプの蓋（以下、嵌合蓋という。）はポリスチレン系やポリプロピレン系などの薄い合成樹脂シートを熱板成形することにより容器本体の上端開口部の外形に合う浅い皿形に形成して、これを容器本体に嵌合させている。この場合、湯切り口は嵌合蓋に設けている（例えば、実開昭５２−１７１５４０号公報、実開平３−１１６８１号公報、実開平７−２２４９号公報）。
接着タイプの蓋（以下、接着蓋という。）は、蓋基材の内面側にヒートシール性樹脂層を形成した積層シートを平板状のままで使用し、これを容器本体の開口上縁に熱溶着により剥離可能に接着して容器本体の上端開口部をシールしている（例えば、特開平５−１６２８３号公報）。
【０００３】
【発明が解決しようとする課題】
しかるに、上記嵌合蓋では皿形に成形加工する必要があるため加工費が高くつく難点があるが、接着蓋は平板状のまま使用するので、成形加工を要する嵌合蓋よりも安価である。
ところで、こうした安価につく接着蓋を使用する容器に湯切り機能を備える手段として、湯切り口を接着蓋に設けることが考えられる。しかし、湯切り口を有する接着蓋は前述のように容器本体の開口上縁に載せ、加熱プレスで該接着蓋を容器本体に対し加熱加圧して熱融着することになるが、その際、湯切り口が容器本体の口縁に近接するよう接着蓋の端寄りに位置設定されていると、加熱プレスの加圧により接着蓋が容器本体の開口上縁の上で位置ずれした場合に湯切り口が容器本体の開口上縁で塞がれてしまう不具合が生じ易く、容器本体との位置合わせが難しい。かと言って、接着蓋に湯切り口が容器本体の口縁より十分に離れるような位置に設定されていると、本来の機能である湯切りが満足にできず、湯残りが生じるという問題がある。
【０００４】
本発明の目的は、このような問題を解決するためになされたものであり、上記のような高コストの嵌合蓋ではなく安価な平板状の接着蓋を使用してコスト低減を図れ、しかも確実な湯切りを可能にする即席食品等の容器を提供することにある。
【０００５】
【課題を解決するための手段】
［本発明の請求項１に係る発明］は、
容器本体（１）と平板状の蓋（２）とからなり、
容器本体（１）はこれの開口上縁（４）全周からフランジ（６）を外向きに張出し形成し、このフランジ（６）の上面にフランジ（６）内外方向に凹設した湯切り溝（９）がフランジ（６）周方向に所定間隔をおいて複数個並設されており、
これら隣り合う湯切り溝（９）（９）の間に、前記フランジ（６）の上面と同じ高さか若しくはそれよりも少し高い高さを有して蓋（２）と接着する山部（１０ｂ）と、この山部（１０ｂ） のフランジ（６）内外方向外方側端にフランジ（６）上面よりも低くて蓋（２）と接着しない非接着凹部（１０ａ）と 、この非接着凹部（１０ａ）よりフランジ（６）外方側にフランジ（６）上面と面一か若しくは略面一にされて蓋（２）と接着する外側山部 （１０ｃ）とがそれぞれ形成されており、
前記外側山部 （１０ｃ）の上面は前記フランジ（６）の上面（６ａ）に連続させているとともに、外側山部 （１０ｃ）の内面は前記湯切り溝（９）の溝底から外側山部 （１０ｃ）の上面わたって立上がり湯切り溝（９）を塞ぐ閉塞壁１１に形成され、
前記蓋（２）は前記山部（１０ｂ）の上面および前記外側山部 （１０ｃ）の上面にわたってかつ前記湯切り溝（９）の上方を塞ぐように剥離可能に接着されていることに特徴を有するものである。
［本発明の請求項２に係る発明］は、
容器本体（１）と平板状の蓋（２）とからなり、
容器本体（１）はこれの開口上縁（４）全周からフランジ（６）を外向きに張出し形成し、このフランジ（６）の上面にフランジ（６）内外方向に湯切り溝（９）が凹設され、  この湯切り溝（９）の両側に、前記フランジ（６）の上面と同じ高さか若しくはそれよりも少し高い高さを有して蓋（２）と接着する山部（１０ｂ）と、この山部（１０ｂ） のフランジ（６）内外方向外方側端にフランジ（６）上面よりも低くて蓋（２）と接着しない非接着凹部（１０ａ）と 、この非接着凹部（１０ａ）よりフランジ（６）外方側にフランジ（６）上面と面一か若しくは略面一にされて蓋（２）と接着する外側山部 （１０ｃ）とがそれぞれ形成されており、
前記外側山部 （１０ｃ）の上面は前記フランジ（６）の上面（６ａ）に連続させているとともに、外側山部 （１０ｃ）の内面は前記湯切り溝（９）の溝底から外側山部 （１０ｃ）の上面わたって立上がり湯切り溝（９）を塞ぐ閉塞壁１１に形成され、
前記蓋（２）は前記フランジ（６）の全周にわたってかつ前記山部（１０ｂ）の上面および前記外側山部 （１０ｃ）の上面に前記湯切り溝（９）の上方を塞ぐように剥離可能に接着されていることことに特徴を有するものである。
［本発明の請求項３に係る発明］は、
容器本体（１）と平板状の蓋（２）とからなり、
容器本体（１）はこれの開口上縁（４）全周からフランジ（６）を外向きに張出し形成し、このフランジ（６）の上面にフランジ（６）内外方向に凹設した湯切り溝（９）がフランジ（６）周方向に所定間隔をおいて複数個並設されており、
これら隣り合う湯切り溝（９）（９）の間に、前記フランジ（６）の上面と同じ高さか若しくはそれよりも少し高い高さを有して蓋（２）と接着する山部（１０ｂ）と、この山部（１０ｂ） のフランジ（６）内外方向外方側端にフランジ（６）上面よりも低くて蓋（２）と接着しない非接着凹部（１０ａ）と 、この非接着凹部（１０ａ）よりフランジ（６）外方側にフランジ（６）上面と面一か若しくは略面一にされて蓋（２）と接着する外側山部 （１０ｃ）とがそれぞれ形成されており、
前記フランジ（６）および外側山部 （１０ｃ）は外周縁（６１）が下向きに折れ曲がって連続に形成されており、
前記蓋（２）は前記フランジ（６）の全周にわたってかつ前記山部（１０ｂ）の上面および前記外側山部 （１０ｃ）の上面に前記湯切り溝（９）の上方を塞ぐように剥離可能に接着されていることに特徴を有するものである。
［本発明の請求項４に係る発明］は、
容器本体（１）と平板状の蓋（２）とからなり、
容器本体（１）はこれの開口上縁（４）全周からフランジ（６）を外向きに張出し形成し、このフランジ（６）の上面にフランジ（６）内外方向に凹設した湯切り溝（９）がフランジ（６）周方向に所定間隔をおいて複数個並設されており、
これら隣り合う湯切り溝（９）（９）の間に、前記フランジ（６）の上面と同じ高さか若しくはそれよりも少し高い高さを有して蓋（２）と接着する山部（１０ｂ）と、この山部（１０ｂ） のフランジ（６）内外方向外方側端にフランジ（６）上面よりも低くて蓋（２）と接着しない非接着凹部（１０ａ）と 、この非接着凹部（１０ａ）よりフランジ（６）外方側にフランジ（６）上面と面一か若しくは略面一にされて蓋（２）と接着する外側山部 （１０ｃ）とがそれぞれ形成されており、
前記フランジ（６）および外側山部 （１０ｃ）は外周縁（６１）が下向きに折れ曲がって連続に形成されており、
前記蓋（２）は前記フランジ（６）の全周にわたってかつ前記山部（１０ｂ）の上面および前記外側山部 （１０ｃ）の上面に前記湯切り溝（９）の上方を塞ぐように剥離可能に接着されていることに特徴を有するものである。
【０００６】
【作用】
請求項１〜４係る発明の即席食品等の容器によれば、蓋は容器本体のフランジの全周にわたって山部の上面および外側山部 の上面に湯切り溝を塞ぐように剥離可能に接着されているので、剥離前の段階では気密性が良好で収容食品の保存性に優れ、収容食品の食用時にはこの蓋の湯切り溝覆い部分とは異なる箇所の一部を剥がすことにより熱湯を容器本体の中に注入することができ、またこの熱湯注入時に熱湯が湯切り溝から漏洩する懸念もない。
【０００７】
湯切りに際しては、蓋の湯切り溝覆い部分の外端縁を外側山部 から引き剥して湯切り溝のフランジ内外方向外端側のみを露出して、容器本体を傾けることにより湯切りが麺類等収容食品を流出させることなく迅速かつ確実に行える。
また、山部のフランジ内外方向外方側端に蓋と接着しない非接着凹部が形成されているので、湯切りに際し蓋の湯切り溝覆い部分の外端縁を開始点として引き剥がすとき、非接着凹部で引き剥がしが途絶える。このため、それ以上の剥がし過ぎ、すなわち山部との接着部分が剥がされるのをよく防止でき、湯切り溝のフランジ内外方向内方側の上方が蓋で覆われた状態を確保することができ、剥がし過ぎに伴う麺類等収容食品の流出を防止できる。
また、湯切り溝は容器本体の成形と同時に形成することができる。
【０００８】
【発明の実施の形態】
図１は本発明の実施の形態例による容器の容器本体の平面図、図２は図１におけるＡ−Ａ線断面図、図３は容器本体の湯切り部の斜視図、図４は容器本体の湯切り部の平面図、図５は図４におけるＢ−Ｂ線断面図、図６は図４におけるＣ−Ｃ線断面図、図７は図４におけるＤ−Ｄ線断面図、図８は図４におけるＥ−Ｅ線断面図、図９は図４におけるＦ−Ｆ線断面図、図１０は蓋の平面図、図１１は容器の断面図である。
【０００９】
本発明に係る即席食品等の容器は図１１に示すごとく容器本体１と蓋２とからなる。容器本体１は、図１及び図２に示すように、発泡ポリスチレン等の発泡樹脂材をもって底面３から開口上縁４に向けて拡がった傾斜側壁面５を有する平面視円形の椀状に成形されており、その開口上縁４の全周に所定幅の平らなフランジ６が外方へ張出し形成されている。フランジ６および外側山部 １０ｃは外周縁６１が図３に拡大して示すように下向きに折れ曲がって連続に形成される。そして、フランジ６にはこれの円周方向の上面一部に湯切り部７が形成されている。またフランジ６には湯切り部７と直交する方向の両側方（湯切り部７と容器本体１の底中心点Ｏとを結ぶ線Ｐ１に対し直交する線Ｐ２とフランジ外周縁との交差部）につまみ部８，８が外方へ張出状に形成されている。
【００１０】
図３ないし図９に示すように、上記湯切り部７においては、フランジ６の一部をフランジの板厚をもって断面波形に形成することにより断面Ｕ字形の湯切り溝９と、山頂部の平たい山部１０とを周方向に交互に列設する。この場合、湯切り溝９は、図３、図４及び図８に示すごとくフランジ６の内外方向（幅方向）の全長にわたって凹設されるものではなく、湯切り溝９のフランジ内外方向外方端には外側山部 １０ｃが形成され、この外側山部 １０ｃの上面は前記フランジ６の上面６ａに連続させているとともに、外側山部 １０ｃの内面は湯切り溝９の溝底から外側山部 １０ｃの上面にわたって立上がり湯切り溝９を塞ぐ閉塞壁１１に形成される。隣り合う湯切り溝９，９間の山部１０には、図４及び図７に示すごとく、山部１０のフランジ内外方向中間部位に非接着凹部１０ａを形成するとともに、この非接着凹部１０ａよりフランジ内方側に内側山部１０ｂを、非接着凹部１０ａより外方側に外側山部１０ｃをそれぞれ形成する。
【００１１】
上記山部１０の非接着凹部１０ａは、図８に示すごとく湯切り溝９の閉塞壁１１よりもフランジ内方に位置するようにかつフランジ６の上面６ａの高さよりも少し低く、例えば１．５ｍｍ程度低く形成される。そして内側山部１０ｂはフランジ上面６ａの高さよりも高く、例えば２ｍｍ程度高く形成され、外側山部１０ｃはフランジ上面６ａと面一か若しくは略面一に形成される。
【００１２】
図１０及び図１１に示すように、蓋２は、紙製または合成樹脂製の基材１２の表面に印刷層１３を形成し、基材１２の裏面にアルミニウム箔等の金属層１４、ヒートシール性樹脂層１５を順次積層してなる可撓性を有する積層シート（図１１中の拡大図参照）を、容器本体１の上端開口部を塞ぐ大きさの円形の平板状に形成してなる。蓋２には湯切り部７の上方に対応する箇所（湯切り溝覆い部分）と、湯切り部７とは反対側の熱湯注入側箇所にそれぞれ、引き剥がし方向や引き剥がし終点位置を指示する引き剥がし量表示１６，１７が印刷等で施される。蓋２の湯切り溝覆い部分に施される引き剥がし量表示１６は、容器本体１の湯切り部７の非接着凹部１０ａの上方に対応する位置になるように施される。蓋２の熱湯注入側箇所に対応する外端にはつまみ片２１を張出形成している。
【００１３】
この蓋２を容器本体１に封口状態に接着するには、容器本体１の中に即席麺あるいは即席焼きそば等の即席食品２２を収容したうえで、蓋２を容器本体１のフランジ６の上に水平に載せて、加熱プレスで蓋２のフランジ上方に対応する箇所をフランジ６に対し加熱加圧する。すると、蓋２はヒートシール性樹脂層１５を介してフランジ６の全周にわたって熱融着される。
その際、蓋２は、湯切り部７における内側山部１０ｂ及び外側山部１０ｃに対しても同時に熱融着されるが、加熱プレスは蓋２の上面の外周領域全周を一定圧でその上方から加圧するので、フランジ上面６ａよりも高い内側山部１０ｂでの接着強度とフランジ上面６ａと面一か略面一な外側山部１０ｃでの接着強度とでは接着強度差が生じ、前者の高い内側山部１０ｂでは強力に接着し、後者の低い外側山部１０ｃではそれよりも接着力が弱くなる。ただし、これら内側山部１０ｂと外側山部１０ｃとの間で陥没する非接着凹部１０ａと蓋２との間では、空隙が形成されるので、熱融着されない。
【００１４】
加熱プレスで蓋２を熱融着する際、容器本体１のフランジ６の裏面側を金属製バケットＢで受け止め支持するが、この場合、フランジ６の裏面全体ではなく、図２中の二点鎖線で示すごとく外側山部１０ｃの裏面側に形成されている凹部１８にバケットＢの上端の一部が嵌合するように受け止め支持すれば、湯切り部７の裏面全体の広範囲にわたって受け止める複雑な形のバケットに比べてバケットＢを単純形状にすることができ、この単純形状化によりバケットＢの製作コストを低減できて有利である。
【００１５】
上記構成の容器において、これに収容されている即席焼きそば等食品２２を食べる場合は、蓋２の湯切り部７とは反対側の熱湯注入側箇所のつまみ片２１をつかんでフランジ６から当該箇所に施された引き剥がし量表示１７の位置にまで引き剥がし、容器本体１の当該箇所から熱湯を注入して即席麺等を吸水せしめて復元する。この場合、湯切り溝９のフランジ内外方向外方端は閉塞壁１１で塞がれるとともに、この上方が蓋２で覆われているので、仮に満水に近い状態になっても熱湯が湯切り溝９から漏洩するのを確実に防止できる。しかる後、蓋２の湯切り溝覆い部分を当該箇所に施された引き剥がし量表示１６の位置にまで引き剥がして湯切り溝９のフランジ内外方向外端側のみを外部に露出し、つまみ部８，８を持って容器本体１を傾斜させることによって、湯は湯切り溝９から外部に排出する。
【００１６】
その際、隣り合う湯切り溝９，９間の山部１０のフランジ内外方向中間部位に蓋２と接着しない非接着凹部１０ａが形成されているので、湯切りに際し蓋２の湯切り溝覆い部分の外端縁を開始点として引き剥がすとき、非接着凹部１０ａで引き剥がしが途絶える。このため、それ以上の剥がし過ぎ、すなわち蓋２の内側山部１０ｂとの接着部分が剥がされるのをよく防止できるので、湯切り溝９のフランジ内外方向内方側の上方が蓋２で覆われた状態を確保することができ、剥がし過ぎに伴う麺類等収容食品の流出を防止できる。とくに、内側山部１０ｂはフランジ上面６ａよりも高く形成して蓋２と強力に接着してあるので、剥がし過ぎ防止に大きく貢献する。
また非接着凹部１１よりフランジ外方側の外側山部１０ｃはフランジ上面６ａと面一か若しくは略面一に形成して内側山部１０ｂよりも低く形成し、この外側山部１０ｃと蓋２との接着力は内側山部１０ｂと蓋２との接着力よりも弱くしてあるので、湯切りに際し蓋２の湯切り溝覆い部分の外端縁を引き剥がし開始点として容易に引き剥がすことができる。
【００１７】
湯切り時には一対のつまみ部８，８を持って容器本体１を傾けることにより、容易に湯切りを行うことができる。とくに、容器本体１が紙製であって発泡樹脂からなる容器本体よりも断熱性に劣る場合も、そのようにつまみ部８，８を備えておれば、熱く感じることもなく容器本体１を安全に傾けることができる点で好ましい。
【００１８】
図１２に示すように、容器本体１は上記実施例のものと同様に平面視において円形に形成するが、この場合の容器本体１の開口縁のフランジ６の外周一部には外方張出部２０を設け、この外方張出部２０に湯切り部７すなわち湯切り溝９及び山部１０を上記実施例の場合と同じように設ける。これによれば、フランジ６の外方張出部２０以外の大半部分を狭幅に形成することができるので、フランジ６に口元を付けて内容物を食べたり飲んだりするとき口当たりの良いものとなる。
【００１９】
容器本体１は平面視において円形に形成されるものに限定されるものではなく、図１３に示すように平面視において四角形、あるいはその他の多角形状に形成するものであってもよい。この場合、多角形形状の容器本体１の角部のフランジ６に、湯切り部７すなわち湯切り溝９及び山部１０を上記実施例の場合と同じように設ける。これによれば、容器本体１の前記角部を下方にして傾けることにより容易に湯切りすることができる。
【００２０】
容器本体１に対する蓋２の接着手段としては、上記実施例の熱融着に代えて、食品安全性を有する接着剤を用いて接着することもできる。
上記実施例のように湯切り溝９はこれのフランジ内外方向外端側を閉塞壁１１で塞ぐ形に形成しておくことが満湯時の熱湯漏洩をより確実に防止できる点で好ましい。
【００２１】
上記湯切り溝９の両側の山部１０、または湯切り溝９，９間に形成する山部１０としては、内側山部１０ｂをフランジ上面６ａと同じ高さに形成し、この内側山部１０ｂとこれのフランジ内外方向外方に非接着凹部１０ａを形成するものであってもよい。
【００２２】
【発明の効果】
請求項１〜４に係る発明の即席食品等の容器によれば、湯切り溝を有するものでありながら、剥離前の段階では気密性が良好で収容食品の保存性に優れ、また、成形加工を要する嵌合蓋よりも安価な平板状の蓋を使用し、湯切り溝は容器本体の容器本体の成形と同時に形成することができるので、容器全体として安価なものを提供できる。蓋は容器本体のフランジおよび外側山部の全周にわたって湯切り溝を塞ぐように剥離可能に接着されているので、熱湯注入時の熱湯漏れの懸念はなく、湯切り時には蓋の湯切り溝覆い部分を少し剥がして湯切り溝のフランジ内外方向外端側のみを露出させるだけで、湯切りが麺類等収容食品を流出させることなく、迅速かつ確実に行える。
また、湯切りに際し蓋の湯切り溝覆い部分の外端縁を開始点として引き剥がすとき、非接着凹部で引き剥がしが途絶え剥がし過ぎに伴う麺類等収容食品の流出を防止できる。
【図面の簡単な説明】
【図１】  本発明の容器の容器本体の平面図である。
【図２】  図１におけるＡ−Ａ線断面図である。
【図３】  容器本体の湯切り部の斜視図である。
【図４】  容器本体の湯切り部の平面図である。
【図５】  図４におけるＢ−Ｂ線断面図である。
【図６】  図４におけるＣ−Ｃ線断面図である。
【図７】  図４におけるＤ−Ｄ線断面図である。
【図８】  図４におけるＥ−Ｅ線断面図である。
【図９】  図４におけるＦ−Ｆ線断面図である。
【図１０】  蓋の平面図である。
【図１１】  容器の断面図である。
【図１２】  他の実施例を示す容器の容器本体の平面図である。
【図１３】  更に他の実施例を示す容器の容器本体の平面図である。
【符号の説明】
１  容器本体
２  蓋
６  フランジ
９  湯切り溝
【図１】
0003744755.tif 000002
【図２】
0003744755.tif 000003
【図３】
0003744755.tif 000004
【図４】
0003744755.tif 000005
【図５】
0003744755.tif 000006
【図６】
0003744755.tif 000007
【図７】
0003744755.tif 000008
【図８】
0003744755.tif 000009
【図９】
0003744755.tif 000010
【図１０】
0003744755.tif 000011
【図１１】
0003744755.tif 000012
【図１２】
0003744755.tif 000013
【図１３】
0003744755.tif 000014